(57)【特許請求の範囲】
【請求項１】
既設屋根の上に固定される固定部の上に、新設屋根を取付ける剣先ボルトが設けられた改修用屋根板取付け金具であって、
上記固定部が、既設屋根の上部の傾斜に対応して傾斜する左右一対の脚部と、
これら脚部の間に、既設屋根の上面から突出している固定具の存在を許容する許容空間と、
許容空間の上方に固定されて固定部を新設屋根と非接触にする合成樹脂製の断熱部とを有し、
断熱部内には、屋根の長さ方向に沿って長く、剣先ボルトを立てた状態でスライド可能に保持する長孔溝が設けられて前記剣先ボルトが保持されるとともに、
剣先ボルトには、外周方向に張り出して剣先ボルトを断熱部内で安定に支持する支持部が形成され、
断熱部内に、上記支持部をスライド可能に収容する収容溝が形成された
改修用屋根板取付け金具。
【請求項２】
前記断熱部の左右両側面に凹溝が形成され、
該凹溝に入る係止爪が、固定部の上端部に形成され、
これら一対の係止爪が、１枚の金属板で一体に形成された
請求項１に記載の改修用屋根板取付け金具。
【請求項３】
前記脚部間には、既設屋根の上端面に載る載置板が形成され、
前記許容空間が、載置板に設けられたバカ孔で構成された
請求項１または請求項２に記載の改修用屋根板取付け金具。
【請求項４】
前記脚部間における屋根の長さ方向両側に突出する位置には、既設屋根の上端面に載る接地片が設けられた
請求項１から請求項３のうちのいずれか一項に記載の改修用屋根板取付け金具。
【請求項５】
前記請求項１から請求項４のうちのいずれか一項に記載の改修用屋根板取付け金具を用いて改修された
屋根。
【発明の詳細な説明】
【技術分野】
【０００１】
この発明は、折板からなる屋根板を改修するときに用いられる改修用屋根板取付け金具に関し、より詳しくは、単に改修するのみではなく、改修に際して付加価値をつけることができるような改修用屋根板取付け金具に関する。
【背景技術】
【０００２】
折板からなる屋根の改修には、既設屋根を固定している金具と同じように、下地としての既設屋根の上に固定する部分と折板固定用の剣先ボルトとを備えた構造の改修用金具を用いる（たとえば下記特許文献１参照）。つまり、改修は、既設屋根の上に改修用金具を固定し、その上に、新しい屋根、すなわち新設屋根を固定して行う。
【０００３】
しかし、このような改修用金具において、改修後の屋根に断熱機能やスライド機能を付与するものはなかった。
【０００４】
なお、改修用ではないが、屋根の上からの熱伝導を断ち、屋根板の伸縮を許容する金具が提案されていた。たとえば、下記特許文献２などがある。
【０００５】
この断熱支持具は、断面U字形の固定体と、略門形状の上部支持体と、断熱体とからなる。そして、固定体の両立ち上がり側部と上部支持体の両垂下状側部との間に断熱体をそれぞれ設けて固定体と上部支持体とを離間し、上記断熱体を有する部分をボルトからなる固定用軸杆を用いて連結して、固定体と上部支持体とが非接触になるようにする。この固定用軸杆は、固定体に設けられた長孔からなるガイド孔内を摺動可能である。また、屋根板を固定するための固定手段として剣先ボルトかなる螺子杆が上部支持体の上面に立設されている。
【０００６】
この構成により、上部支持体に固定された屋根板からの熱伝導は、断熱体によって遮断され、断熱が図られる。また、上部支持体に固定された屋根板が伸縮した時には、その伸縮に伴って上部支持体が固定体の上をスライドし、屋根板にたまるひずみを吸収するので、屋根板の伸縮に伴う音鳴り防止が図られる。
【０００７】
しかし、この断熱支持具は、大型建物の屋根に用いられるもので、中小型の建物で好適に使用されている、いわゆる「８８（ハチハチ）」と称される折板（以下、「８８折板」という。）を取付ける取付け金具では、上記のような断熱とスライドを可能にするものは存在しなかった。
【０００８】
８８折板は剣先ボルトによって固定されるため、取付け金具の下側部分には下葺の８８折板を固定したときの剣先ボルトが存在する一方、取付け金具の上側部分には、上葺の８８折板を固定するときの剣先ボルトが必要であって、取付け金具の固定に際して下の剣先ボルトを利用しようとすれば、上の剣先ボルトを取付けるための部分が邪魔になる。そのうえ、断熱のための部材の配置や８８折板の高さ（８８mm）の関係上、構造や取付け作業が複雑になってしまうからであると考えられる。たとえば上述した特許文献２の構成では、固定体を固定するときに被連結用内螺子を螺合しなければならないが、被連結用内螺子の螺合は上部支持体の下で行われなければならず、螺合作業に上部支持体が邪魔である。しかし、上部支持体を外そうとすると、断熱体をはじめとする複数の部材がばらばらになるので、固定体の固定作業は容易ではない。
【０００９】
８８折板をスライド可能に固定する取付け金具としては、下記特許文献３のような取付け金具がある。しかし、この取付け金具では、取付け金具の上面に長孔が形成されており、この長孔内を移動可能なようにすべく、屋根板を取付けるためのボルトを、ワッシャとナットとで固定するというものであって、ボルトに取付けられた屋根板は屋根板の長さ方向に伸縮可能であるものの、取付け金具自体に断熱のための構造がないので、断熱機能は、その他の部分に持たせなければならない。つまり、屋根板にたまった熱は取付け金具を介して、取付け金具が固定されている部分にも伝達してしまう。このため、断熱性能はよくない。
【００１０】
【特許文献１】特開平９−７２０４８号公報
【特許文献２】実用新案登録第２５８０５３８号公報
【特許文献３】実公昭６３−１１２２９号公報
【発明の開示】
【発明が解決しようとする課題】
【００１１】
そこで、この発明は、特に中小型の建物の屋根に好適に使用でき、老朽化した屋根の改修に際して新たに断熱機能やスライド機能を付加できるようにすることを主たる目的とする。
【課題を解決するための手段】
【００１２】
そのための手段は、既設屋根の上に固定される固定部の上に、新設屋根を取付ける剣先ボルトが設けられた改修用屋根板取付け金具であって、上記固定部が、既設屋根の上部の傾斜に対応して傾斜する左右一対の脚部と、これら脚部の間に、既設屋根の上面から突出している固定具の存在を許容する許容空間と、許容空間の上方に固定されて固定部を新設屋根と非接触にする合成樹脂製の断熱部とを有し、断熱部内には、屋根の長さ方向に沿って長く、剣先ボルトを立てた状態でスライド可能に保持する長孔溝が設けられて前記剣先ボルトが保持されるとともに、剣先ボルトには、外周方向に張り出して剣先ボルトを断熱部内で安定に支持する支持部が形成され、断熱部内に、上記支持部をスライド可能に収容する収容溝が形成された改修用屋根板取付け金具である。
【００１３】
上記「固定具の存在を許容する許容空間」とは、固定具があっても固定部を上から載せられるようにする穴や開放された空間の意味である。
【００１４】
改修は、既設屋根の上に飛び出ている固定具を、許容空間を備えた固定部で覆うようにして、固定部を既設屋根の上部に上から載せる。そして、固定部の脚部を既設屋根の上に固定してから、固定部の上部に固定した断熱部に保持された剣先ボルトに対して新たな屋根板を固定して新設屋根を葺成する。剣先ボルトは、断熱部の長孔溝内をスライド可能である。このスライドに際しては、支持部が剣先ボルトの立設状態を安定的に支える。
【００１５】
このため、新設屋根が熱により伸縮しようとする場合には、剣先ボルトが、屋根の伸縮力にしたがって、屋根の長さ方向に移動し、屋根にひずみがたまるのを回避する。また、断熱部の存在により、新設屋根を固定している剣先ボルトと固定部、また新設屋根と固定部は非接触であるので、断熱性機能も得られる。
【００１６】
さらに、このような改修用屋根板取付け金具は、固定部の上に、合成樹脂からなる断熱部を固定し、断熱部内に剣先ボルトをスライド可能に保持した構造であるので、簡素な構造であって、そのうえ上記のように施工に際しての工数も少なく、作業性がよい。また、簡素な構造ゆえに、小型化を図ることもでき、特に中小型の建物の屋根に対して使用するのに好適である。
【発明の効果】
【００１７】
以上のように、この発明によれば、特に８８折板を用いた屋根ような中小の屋根の改修において、単なる改修ではなく、断熱機能やスライド機能を付加した、付加価値を有する改修が行える。
【発明を実施するための最良の形態】
【００１８】
この発明を実施するための一形態を、以下図面を用いて説明する。  
図１は、改修用屋根板取付け金具１１（以下、「改修金具」という。）の斜視図であり、図２は、その使用状態を示す正面図である。
【００１９】
これらの図に示すように改修金具１１は、老朽化した折板屋根（既設屋根２１）の上に固定されて新たな折板（８８折板）３１ａを取付け、新たな折板屋根（新設屋根３１）により既設屋根２１の改修を行うためのものである。
【００２０】
なお、老朽化した折板屋根（既設屋根２１）は、下地材２２の上に固定されたタイトフレーム２３に対して固定されている。固定は、山部と谷部を交互に有するタイトフレーム２３の山部に立設された剣先ボルト２３ａに対して行われる。すなわち、折板２１ａを剣先ボルト２３ａの先に載せて、上から叩いて折板２１ａに孔を開けて剣先ボルト２３ａに通す。この後で、防水パッキンとナットとからなる固定具２４を剣先ボルト２３ａに取付ける。
【００２１】
上記のような改修金具１１は、金属板からなる固定部材４１と、この固定部材４１の上端部に保持される断熱部材５１とを有し、断熱部材５１には、新たな折板３１ａを取付けるための剣先ボルト６１が屋根の長さ方向に沿ってスライド可能に保持される。
【００２２】
固定部材４１は、既設屋根２１の上部の傾斜に対応して傾斜する左右一対の脚部４２，４２と、これら脚部４２，４２の上端位置から上へ延びる左右一対の側板部４３，４３とを有し、脚部４２，４２間には、既設屋根２１の上面から突出している固定具２４の存在を許容する許容空間を有し、側板部４３，４３間に断熱部材５１が着脱可能に固定されている。
【００２３】
脚部４２，４２と側板部４３，４３は、同一幅であり、１枚の金属板で構成される。すなわち、所定長さの長方形状をなす金属板の長さ方向の両側部分に側板部４３，４３が形成され、これら側板部４３，４３の内側に脚部４２，４２が連設され、脚部４２，４２の間に、既設屋根２１の上端面に載る載置板４４が形成されるように、上記の各部を１枚の板で形成する。このため、脚部４２，４２部分では、板が２重に重合された構造となる（図３参照）。
【００２４】
各脚部４２，４２には、既設屋根２１に対して固定するため、ドリルねじ７１を螺合するための挿入孔４２ａが、２個ずつ形成されている。２個の挿入孔４２ａ，４２ａは、脚部４２の長さ方向に沿って配設される。
【００２５】
各側板部４３，４３の中央部分には角孔４３ａが形成され、上端には、内側に向けてＬ字型に折曲された係止爪４３ｂが設けられている。
【００２６】
そして、上記載置板４４の中央部には、上記の許容空間としてのバカ孔４４ａが形成されている。
【００２７】
断熱部材５１は、上記固定部材４１の係止爪４３ｂより上に出る頭部５２と、それより下の胴部５３とを有する一つのブロック状の塊で形成されている。そして、固定部材４１に対して前後方向（屋根の長さ方向に対応する方向）から嵌められるように、固定部材４１の係止爪４３ｂが入る凹溝５４，５４が左右両側面に形成されている。これらの凹溝５４より上が上記の頭部５２で、下が上記の胴部５３である。
【００２８】
頭部５２は、両側面が上側ほど幅狭になる傾斜面５２ａで形成される。
【００２９】
胴部５３は、固定部材４１の側板部４３，４３間に嵌め込まれたときに不必要用にガタつかない寸法に設定され、固定部材４１の角孔４３ａに対応する部位には、左右方向に貫通する貫通孔５３ａが設けられている。断熱部材４１を固定部材４１に対して嵌めてから、角孔４３ａと貫通孔５３ａにボルト７２を挿通してナット７３で締めることにより、断熱部材５１と固定部材４１が一体化される。
【００３０】
なお、胴部の前後方向における一方の端部には、左右方向に張り出すストッパ５３ｂが形成され、他方の端面５３ｃにおける凹溝５４以下の部分は、嵌め込みをしやすくするために曲面で形成されている。また、胴部５３の底面には、前後方向に長い凹部５３ｄが設けられ、既設屋根２１の剣先ボルト２３ａが万が一にも当たることを回避している。
【００３１】
断熱部材５１に対する上記の剣先ボルト６１の保持は、長孔溝５５と収容溝５６により行われる。すなわち、図４にも示したように、断熱部材５１の上面から下に向けて、前後方向に長い平面視長円形状の長孔溝５５が形成されている。この長孔溝５５の幅は、剣先ボルト６１を立てた状態でスライド可能にする幅である。長孔溝５５は、剣先ボルトのスライド範囲を規制する役目もあるため、スライドに必要な長さに設定される。また、凹溝５４よりも下の位置で長孔溝５５の下端位置に、前後方向に貫通する収容溝５６が形成される。収容溝５６は、長孔溝５５よりも幅広である。
【００３２】
剣先ボルト６１は、外周方向に張り出して剣先ボルト６１を断熱部材５１内で安定に支持する支持部を下端部に有するもので、ボルト本体６２と、これの下端部に固定される支持板部材６３とで構成される。
【００３３】
ボルト本体６２は、上端の剣先部６２ａと、この下の、剣先部６２ａよりも大経でねじの無い無ねじ部６２ｂと、雄ねじ部６２ｃとを有する。この雄ねじ部６２ｃを支持板部材６３のねじ孔６３ａに螺合することで、ボルト本体６２が支持板部材６３に一体化される。支持板部材６３は、所定長さの長方形板状で、中央に上記のねじ孔６３ａが形成されている。また、両端部が下側に折曲され、ストッパ片６３ｂ，６３ｂが設けられている。ストッパ片６３ｂの一方は予め形成されているが、他方は、断熱部材５１に対する組み付け後に形成される。剣先ボルト６１の保持は、支持板部材６３を断熱部材５１の収容溝５６に差し込んでからボルト本体６２の雄ねじ部６２ｃを螺合して行う。
【００３４】
ボルト本体６２における下側部分と支持板部材６３は、左右方向において断熱部材５１の内側に位置しており、固定部材４１とは非接触である。また断熱部材５１から突出するボルト本体６２の上側部分は固定部材４１と反対方向に位置しており、固定部材４１は非接触である。このため、新たな折板３１ａを取付ける剣先ボルト６１は、固定部材４１とは非接触になる。
【００３５】
このように構成された改修金具１１では、固定部材４１と断熱部材５１が一体化された状態で使用される。
【００３６】
使用に当たってはまず、既設屋根２１の固定具２４の露出している部分に、改修金具１１を載せる。つまり、改修金具１１の脚部４２，４２を既設屋根２１の上部の傾斜面に重ねるとともに、載置板４４に形成されたバカ孔４４ａ内に固定具２４が位置するように固定する。そして、脚部４２，４２の挿入孔４２ａにドリルねじ７１を螺合して、図５に示したように固定部材４１を既設屋根２１の上に固定する。固定後、又はその前段で、剣先ボルト６１の剣先部６２ａの下端位置に座金部材６４が保持される。
【００３７】
つぎに、必要に応じて断熱材を敷き込んだ後、新しい折板３１ａを断熱部材５１の剣先ボルト６１に固定する。剣先ボルト６１の先に折板３１ａを載せてから上から叩いて、折板３１ａに孔を開け、剣先ボルト６１の剣先部６２ａに通す。所定の取付け状態を得てから、防水パッキンとナットとからなる固定具６５を剣先ボルト６１に取付ける。
【００３８】
このようにして改修された折板屋根では、新たな折板屋根、すなわち新設屋根３１と、既設屋根２１との間に断熱部材５１が介在しており、金属同士が接触しない構造であるので、断熱作用を得られる。また、新設屋根３１を取付けている剣先ボルト６１は屋根の長さ方向にスライド可能であるので、新設屋根３１が熱によって伸縮した場合にはその伸縮に伴ってスライドし、折板３１ａにたまろうとする歪を解消する。この結果、音鳴り防止を図ることができる。
【００３９】
また、固定部材４１と断熱部材５１は、ボルト７２ナット７３で固定されるほかに、凹溝５４と係止爪４３ｂでかみ合っているので、係止爪４３ｂは上からの荷重にも、負圧による引き上げ力にも充分に耐えうる高い一体性、強度を得ることができる。この効果は、係止爪４３ｂを有する一対の側板部４３，４３が１枚の金属板で構成されていることにより、一層高まる。
【００４０】
さらに、断熱部材５１内に保持される剣先ボルト６１には、長方形板状の支持板部材６３が設けられ、支持板部材６３は、断熱部材５１を貫通する長い構造であるので、ボルト本体６２の支持が安定して行え、スライド時のスライド動作も滑らかに行える。
【００４１】
そのうえ、脚部４２，４２間の載置板４４にはバカ孔４４ａが形成されて、既設屋根２１に対する載置が行われるようにしているので、載置板４４が既設屋根２１の上端面に接触し、安定して固定できる。また、三面で接触するので、老朽化した既設屋根２１に対しても強固な固定が行える。
【００４２】
更にまた、上記のように固定部材４１と、剣先ボルト６１を保持した断熱部材５１とよりなり、簡素な構造であるので、組み立て工数、部品点数が少なく、コストを抑えることができる。施工に際しては、既設屋根２１の上に載せて新たな折板３１ａを取付けるだけであるので、施工の作業性も良好である。しかも、簡素な構造ゆえに改修金具１１の高さも低く抑えることができる。このため、小型化を図ることもでき、特に上記のような中小型の建物の屋根に対して使用するのに好適となる。
【００４３】
そしてこのようにして改修された屋根では、単に改修されるだけではなく、上記のように断熱作用、スライド作用を得ることができ、付加価値を有する屋根となる。
【００４４】
なお、剣先ボルト６１が施工に際して前後方向の中間位置に存在するように規制するための位置規制手段８１を備えるとよい。図６は、その一例であり、断熱部材の上端面に、力をかけると折れる位置規制突起８２が形成されている。そして、施工に際して取付ける座金部材６４には、上記の位置規制突起８２に挿嵌する位置規制孔８３が形成されている。位置規制孔８３は、位置規制突起８２と嵌合対応する大きさよりも若干大きめに設定される。このようにして若干の余裕をもたせることによって、図７に示したように、剣先ボルト６１の若干のスライドを許容することができる。この結果、緩衝作用が図れ、施工前において位置規制突起８２が不測に折れるのを防止できる。施工後は、新設屋根３１が伸縮しようとするとその時の力によって位置規制突起８２が折られ、剣先ボルト６１のスライドが可能となる。
【００４５】
また、図８、図９に示したように、固定部材４１の側板部４３，４３の上部に、内側に向けて傾斜する傾斜片部４３ｃを設け、この先に係止爪４３ｂを形成すると、断熱部材５１の頭部５２の厚さを薄くすることができる。このようにして、頭部５２を薄くすると、改修金具１１の高さを低くすることができ、さらなるコンパクト化と軽量化を図ることができる。
【００４６】
図１０は、スライドを不可能にする部分に用いられる改修金具１１の斜視図である。この改修金具１１は、ストッパ部材８５を備えていることを除けば、図１に示した改修金具１１と基本的に同一の構造である。
【００４７】
具体的には、固定部材４１と断熱部材５１については、上記のものと同一のものが使用される。剣先ボルト６１は、支持板部材６３の両端部が断熱部材５１から突出しない長さに設定されている。また、断熱部材５１の頭部５２には、横コ字状をなす上記のストッパ部材８５が、上記の座金部材６４に代えて取付けられる。断熱部材５１に上述の位置規制突起８２（図６、図７参照）が設けられている場合には、ストッパ部材８５の取付け前に位置規制突起を折って除去する。
【００４８】
なお、上記のように支持板部材６３の長さが図１に例示した場合よりも短くても、支持板部材６３の両端部が角のない滑らかな形状であれば、ストッパ部材８５を外したときに、剣先ボルト６１がスライド可能な状態となる。このため、スライドを可能にする部分にも使用できる。
【００４９】
図１１は、他の例に係る改修金具の斜視図であり、図１２はその使用状態の断面図、図１３は改修金具の分解斜視図である。
【００５０】
この改修金具１１は、脚部４２，４２間における屋根の長さ方向両側に突出する位置に、既設屋根２１の上端面に載る接地片４５が設けられている。この接地片４５は、上記の載置板４４から一体に、又はそれとは別体に設けられるものであるもよいが、図１３、図１４に示したように、固定部材を、上部材４６と下部材４７との２個の部材で構成し、下部材４７に一体に設けられている。
【００５１】
すなわち、上部材４６は、水平な底面部４６ａと、これらの両端から立設された側板部４３，４３と、側板部４３，４３の上端から内側に折曲された係止爪４３ｂからなる。側板部４３には、上記のように角孔４３ａが形成されている。また、底面部４６ａの中央には、厚さ方向に貫通する位置決め孔４６ｂが形成され、この位置決め孔４６ｂの前後両側には、同じく厚さ方向に貫通する挿通孔４６ｃ，４６ｃが形成されている。これらの挿通孔４６ｃにはリベット４８が挿通される。
【００５２】
下部材４７は、上部材４６の底面部４６ａの下に重合される方形板状の水平な上面部４７ａと、この上面部４７ａの４辺のうち、左右両側から垂設される脚部４２と、前後両側から垂設される上記の接地片４５とからなる。上面部４７ａには、上部材４６の底面部４６ａと同様に、中央の位置決め孔４７ｂ、その前後両側の挿通孔４７ｃ，４７ｃが設けられている。
【００５３】
脚部４２は、垂直な垂直片４２ｂと、この下端から斜め下に向かって延びる傾斜片４２ｃとかなり、傾斜片４２ｃの中央部にはドリルねじ７１を挿入する挿入孔４２ａが形成されている。
【００５４】
接地片４５は、側面視Ｌ字状に形成され、上面側に凸の補強用のリブ４５ａが設けられている。
【００５５】
これら脚部４２と接地片４５とで囲まれた略直方体状の空間４９が、既設屋根２１の上面から突出している固定具２４の存在を許容する許容空間である。
【００５６】
上部材４６と下部材４７は、上記のリベット４８によって固定される。なお、図１２中、５３ｅは、リベット４８の頭部をぬすむ凹みである。
【００５７】
このように構成された改修金具１１では、上記のような工程で既設屋根２１の上に固定され、新たな折板３１ａを固定するのに使用される。既設屋根２１に対する固定時には、図１５に示したように、前後に突出する接地片４５，４５が既設屋根２１の上端面に接地し、新設屋根３１が伸縮した時に改修金具１１に前後方向に傾く力がかかった場合に、その力に対抗し、固定状態を保持することができる。また、固定部材４１の位置決め孔４６ｂ，４７ｂには、既設屋根２１を取付けていた剣先ボルト２３ａの先端が侵入する（図１２参照）。これによって改修金具１１の固定時の位置決めがなされる。
【００５８】
図１６は、図６に示した改修金具１１と同じように、施工に際して剣先ボルト６１が、前後方向の中間位置に存在するようにするための位置規制手段８１を備えた例である。この場合も同様に、断熱部材５１の上端面に、力をかけると折れる位置規制突起８２が形成されている。そして、施工に際して取付ける座金部材６４には、上記の位置規制突起８２に挿嵌する位置規制孔８３が形成されている。位置規制孔８３は、位置規制突起８２と嵌合対応する大きさよりも若干大きめに設定される。このようにして若干の余裕をもたせることによって、剣先ボルト６１の若干のスライドを許容することができる。この結果、緩衝作用が図れ、施工前において位置規制突起８２が不測に折れるのを防止できる。施工後は、新設屋根８２が伸縮しようとするとその時の力によって位置規制突起８２が折られ、剣先ボルト６１のスライドが可能となる。
【００５９】
この発明の構成と、上記一形態の構成との対応において、  
この発明の固定部は、上記の固定部材に対応し、  
以下同様に、  
断熱部は、断熱部材５１に対応し、  
許容空間は、バカ孔４４ａ、空間４９に対応し、  
支持部は、支持板部材６３に対応するも、  
この発明は上記の構成に限定されるものではなく、その他の形態を採用することができる。
【００６０】
たとえば、断熱部材を左右に２分割して構成すれば、剣先ボルトの支持部は、ボルト本体と予め一体に形成されたものであっても、容易に組み立てが行える。その場合には、収容溝は断熱部材の前後方向に貫通した形態でなくともよい。
【００６１】
また、固定部材と断熱部材は、分離不可能に一体化されたものであるもよい。
【図面の簡単な説明】
【００６２】
【図１】改修用屋根板取付け金具の斜視図。
【図２】改修用屋根板取付け金具の使用状態の正面図。
【図３】改修用屋根板取付け金具の分解斜視図。
【図４】断熱部材の分解斜視図。
【図５】改修用屋根板取付け金具の使用状態の断面図。
【図６】他の例に係る改修用屋根板取付け金具の斜視図。
【図７】図６の改修用屋根板取付け金具の平面図。
【図８】他の例に係る改修用屋根板取付け金具の断面図。
【図９】図８に示した改修用屋根板取付け金具の側面図。
【図１０】他の例に係る改修用屋根板取付け金具の斜視図。
【図１１】他の例に係る改修用屋根板取付け金具の斜視図。
【図１２】図１１に示した改修用屋根板取付け金具の使用状態の断面図。
【図１３】図１１の改修用屋根板取付け金具の分解斜視図。
【図１４】固定部材の分解斜視図。
【図１５】図１１に示した改修用屋根板取付け金具の側面図。
【図１６】他の例に係る改修用屋根板取付け金具の斜視図。
【符号の説明】
【００６３】
１１…改修用屋根板取付け金具
２１…既設屋根
２４…固定具
３１…新設屋根
４１…固定部材
４２…脚部
４３ｂ…係止爪
４４…載置板
４４ａ…バカ孔
４５…接地片
４９…空間
５１…断熱部材
５４…凹溝
５５…長孔溝
５６…収容溝
６１…剣先ボルト
６３…支持板部材
【図１】
0004997028.tif 000002
【図２】
0004997028.tif 000003
【図３】
0004997028.tif 000004
【図４】
0004997028.tif 000005
【図５】
0004997028.tif 000006
【図６】
0004997028.tif 000007
【図７】
0004997028.tif 000008
【図８】
0004997028.tif 000009
【図９】
0004997028.tif 000010
【図１０】
0004997028.tif 000011
【図１１】
0004997028.tif 000012
【図１２】
0004997028.tif 000013
【図１３】
0004997028.tif 000014
【図１４】
0004997028.tif 000015
【図１５】
0004997028.tif 000016
【図１６】
0004997028.tif 000017